(57)【要約】【課題】  スプレーガンの引金作動を固定するストッパは、構造が簡単で取扱い上誤りや迷いが生じないものであることが必要で、構造上の堅牢性や市場に対しコストをかけずに満足できる引金のストッパを提供する。【解決手段】スプレーガンの引金がガン本体を挟んで両側に係止片を設け作動の支軸点を有するスプレーガンにおいて、ガン本体を貫通し一方の端部が突出又は突出しない位置に移動して固定されるストッパ軸を設け、前記両側の係止片の一方を延出して、その延出部が前記ストッパ軸に当たり引金作動を規制する。ストッパ軸の前記端部は大径部を設けるとともに、他方の端部は拡大頭部を形成する。さらに前記ストッパ軸と貫通孔の間には抵抗体を設ける。【選択図】  図1
0003117526.tif 000002
【実用新案登録請求の範囲】
【請求項１】
スプレーガンの引金が、ガン本体を挟んで両側に係止片を配置しこの係止片に作動の支軸点を設けたスプレーガンにおいて、ガン本体を貫通し一方の端部が突出又は突出しない位置に移動して固定されるストッパ軸を設け、前記両側の係止片の一方を延出して、その延出部が前記ストッパ軸により引金作動を規制されてなるスプレーガンの引金ストッパ。
【請求項２】
ストッパ軸の前記一方の端部には拡大径部を設け、他方の端部には拡大頭部を形成してなる請求項１のスプレーガンの引金ストッパ。
【請求項３】
前記ストッパ軸とガン本体に貫通して設けられた貫通孔の間に、抵抗体を設けた請求項１のスプレーガンの引金ストッパ。
【請求項４】
前記抵抗体をＯリングとして、ストッパ軸と端部の拡大径部を形成した止め軸の接続部に設けた請求項１のスプレーガンの引金ストッパ。
【考案の詳細な説明】
【技術分野】
【０００１】
本考案は、塗装用スプレーガンにおいて人体に危険を及ぼす高圧塗料を噴射するスプレーガンに設け、安全性を高めるための引金ストッパに関する。
【背景技術】
【０００２】
塗装用スプレーガンは用途によって各種の形態が用いられているが、作業者が手に持って操作するスプレーガンは、多くは引金によって塗料の噴出を制御している。したがって作業者は引金操作について最新の注意を払いながら使用することが求められ、不用意に塗料を噴出することのないようにする必要がある。
【０００３】
塗料は人体に有害な場合も多く、危険を伴う他、不必要な箇所に噴射することによる物品や周囲の装置等の汚損による損害は避けなければならない。特に塗料の液圧によって噴射し霧化するタイプのスプレーガンにおいてはさらに危険性が増し、安全装置として不意に引き金が引かれないようにストッパの設置が必要とされている。
【０００４】
これまでも幾つかの方法が提案され使用されてきているが、殆どが塗料のノズルを開閉する弁体そのものの作動を規制するものと、引金自体を作動制限するものとに大別され、前者は実公昭５２−１００８２号公報に示されるようにニードル弁が後退しないようにストッパを設ける方法、また後者は実公昭６１−３８６９３号公報に示されるように引金が後退する側に係止片を設ける方法等がある。
【０００５】
これらの方法はそれぞれ必要な機能を果たしているが、構造の複雑さ、部分的な強度不足、操作上の判りにくさ等があり、一部に問題を抱えていた。例えばニードル弁の後退を規制する場合、通常使用されている針弁に無理な力が加わり変形したり、規制を解除する際に即座にかつ容易に解除しにくいことやストッパが働いているか、解除されているのかが一目でわからないなどの問題がある。
【０００６】
また引金そのものの作動を規制する方法は幾つか提案実施されているが、多くは引金とガン本体の間に可動する係止片を挟み込む方式で、前記と同じく係止片や可動部そのものの強度、引金の内側に隠される係止片がどの状態かわかりにくい等の問題がある。
【考案の開示】
【考案が解決しようとする課題】
【０００７】
以上のように塗料弁もしくは引金の作動を固定するストッパは、構造が簡単で取扱い上誤りや迷いが生じないものであることが必要である。また構造上の堅牢性や市場に対しコストをかけずに提供することも必要である。本考案はこれらの何れにも満足できる引金のストッパを提供することを課題とする。
【課題を解決するための手段】
【０００８】
スプレーガンの引金がガン本体を挟んで両側に係止片を設け作動の支軸点を有するスプレーガンにおいて、ガン本体を貫通し一方の端部が突出又は突出しない位置に移動して固定されるストッパ軸を設け、前記両側の係止片の一方を延出して、その延出部が前記ストッパ軸に当たり引金作動を規制する。ストッパ軸の前記端部は一方に大径部を設けるとともに、他方の端部は拡大頭部を形成する。さらに前記ストッパ軸と貫通孔の間には抵抗体を設ける。
【考案の効果】
【０００９】
本考案の構成により、ストッパ軸の拡大頭部を押し込むと引金の係止片の一方に形成された延出部が、ガン本体の貫通孔から突出するストッパ軸によって作動が規制され、弁の開放ができなくなる。また作動時には突出した側をガン本体側に押し込めば前記の延出部を規制するものがなくなり、引金は正常に作動する。
【００１０】
これらの操作は至って簡単であり、操作する際に容易に確認できストッパ軸の突出状態を確認するので見誤ることもない。またガン本体を貫通する軸は強度的にも問題なく、引金との係合状態も一目で判る構造であるために何の予備知識もなく、誰でも理解できるものである。さらに進退するストッパ軸は抵抗体により適度な押し込み力により固定位置を変更できるように構成することで、自然にストッパが外れるなどの問題も解決できる。
【考案を実施するための最良の形態】
【００１１】
本考案の具体的実施例は図１及び図２により説明する。スプレーガン１は限定されるものではないが、引金のストッパを必要とする度合いが高いスプレーガンとして、高圧の塗料が噴射される、いわゆるエアレスガンと呼ばれる液圧霧化スプレーガンがある。また同様に液圧霧化と圧縮エアによるエア霧化を加えたエアエアレスガン又はエアアシストガンと呼ばれるスプレーガンがある。
【００１２】
図１は後者エアエアレスガンの例を示しており、ガン本体１１は前頭部に噴霧化装置１２を備え、後部は調整装置１３とさらに下部に向かって握り部１４が形成されている。噴霧を操作する引金１５は握り部１４の前方に位置し、本体胴部に止めビス１６等で軸止され、この支軸点を中心に回動し、下部のニードル弁や空気弁等の作動弁を開閉するものである。これらの詳細な構造は数多くの製品とともに特許文献等に公開されており、ここでの詳細説明は省略する。
【００１３】
図２、図３に示すように、引金１５はガン本体１１を挟む形で前記止めビス１６によって両側を軸止する止め軸孔１７を形成した係止片１８が形成されている。さらに係止片１８の一方は止め軸孔１７より延び、その延出部１９が別途ガン本体１１に設けたストッパ軸２０と当たる位置まで形成されている。
【００１４】
ストッパ軸２０は一端に拡大頭部２１を形成し、ガン本体１１の貫通孔２２に挿入され、他端にわずかに大径に形成した止め軸２３を螺着して前記貫通孔２２から外れないようにしている。この止め軸２３部分は図４に拡大して示すように、貫通穴２２の端部に形成した拡大穴部２４に嵌合する大きさとし、押し込んだときにガン本体の面２８より出ないように形成される。止め軸２３とストッパ軸２０の間に挟まれて取り付けられたリング２５は貫通孔２２との間に移動抵抗を生じさせて適度な力でストッパ軸２０が移動され、所定の位置で固定されるようにしたものである。図の例ではＯリング２５がはめ込まれているが、抵抗手段はこの他にも軸に直接設けたり、貫通孔２２に勘合させることでも可能である。
【００１５】
以上の構成で、拡大頭部２１を押し込んで図４の位置にしたとき、引金１５の延出部１９がガン本体の面２８より突出した止め軸２３に当たり引金１５の作動が規制されるため、ニードル弁の作動を停止させることができる。この延出部１９は通常の停止位置で前記止め軸２３と係合する鉤部２７が形成され、止め軸２３が突出しているときは作動せず、図５の様にガン本体側に押し込んだときに鉤部２７が外れ、引金１５を後退させて塗料の噴射が行われるように位置付けられる。
【００１６】
本実施例では液圧霧化スプレーにエアを加えて噴霧するエアエアレススプレーにおけるスプレーガンについて記載しているが、この場合ストッパを下状態で空気弁のみを開放し、エアの噴射を行うように位置付けて構成することが可能である。これによって塗装前の除塵作業を安全に行うことを可能とするスプレーガンが得られる等、活用の範囲を広げることができる。
【図面の簡単な説明】
【００１７】
【図１】本考案のストッパを用いたスプレーガンの実施例を示す外観図である。
【図２】引金の取り付け部を図１の後部から見た一部断面図である。
【図３】引金の形状を示す斜視図である。
【図４】ガン本体に設けられたストッパ部分を示す断面図である。
【図５】図４のストッパが外された状態を示す断面図である。
【符号の説明】
【００１８】
１    スプレーガン
１１  ガン本体
１２  噴霧化装置
１３  調整装置
１４  握り部
１５  引金
１６  止めビス
１７  止め軸孔
１８  係止片
１９  延出部
２０  ストッパ軸
２１  拡大頭部
２２  貫通孔
２３  止め軸
２４  拡大穴部
２５  Ｏリング
２７  鉤部  
【図１】
0003117526.tif 000003
【図２】
0003117526.tif 000004
【図３】
0003117526.tif 000005
【図４】
0003117526.tif 000006
【図５】
0003117526.tif 000007